(57)【特許請求の範囲】
【請求項１】
コンテンツを内部の記録媒体に記録し、記録したコンテンツの複製を行う記録装置において、
複製の可能回数を指定する第１の属性、および、複製を行う毎に加える制限を指定する第２の属性を含む、前記内部の記録媒体に記録したそれぞれのコンテンツの属性情報として取得される制限情報を管理する管理手段と、
前記内部の記録媒体に記録したコンテンツの複製を前記第１の属性により指定される回数の範囲で行う毎に、前記第２の属性に基づいた制限を、複製の元になった前記内部の記録媒体に記録したコンテンツに対して加える制限手段と
を備え、
前記制限手段は、次の複製が可能になるまでの期間を設定することによって、複製の元になった前記内部の記録媒体に記録したコンテンツに制限を加える
記録装置。
【請求項２】
コンテンツを内部の記録媒体に記録し、記録したコンテンツの複製を行う記録装置の記録方法において、
複製の可能回数を指定する第１の属性、および、複製を行う毎に加える制限を指定する第２の属性を含む、前記内部の記録媒体に記録したそれぞれのコンテンツの属性情報として取得される制限情報を管理し、
前記内部の記録媒体に記録したコンテンツの複製を前記第１の属性により指定される回数の範囲で行う毎に、前記第２の属性に基づいた制限として次の複製が可能になるまでの期間を設定することによって、複製の元になった前記内部の記録媒体に記録したコンテンツに対して加える
ステップを含む記録方法。
【請求項３】
それぞれのコンテンツの属性情報として、複製の可能回数を指定する第１の属性、および、複製を行う毎に加える制限としての次の複製が可能になるまでの期間を指定する第２の属性を含む制限情報を生成する生成手段と、
コンテンツの複製を行う記録装置に対して、前記生成手段により生成された前記制限情報をコンテンツとともに提供する提供手段と
を備える提供装置。
【請求項４】
コンテンツを提供する提供装置の情報処理方法において、
それぞれのコンテンツの属性情報として、複製の可能回数を指定する第１の属性、および、複製を行う毎に加える制限としての次の複製が可能になるまでの期間を指定する第２の属性を含む制限情報を生成するステップと、
コンテンツの複製を行う記録装置に対して、生成した前記制限情報をコンテンツとともに提供するステップと
を含む情報処理方法。
【請求項５】
コンテンツを内部の記録媒体に記録し、記録したコンテンツの複製を行う記録装置において、
複製の可能回数を指定する第１の属性、および、第１のパラメータと第２のパラメータを有し、複製に関する制限を指定する第２の属性を含む、前記内部の記録媒体に記録したそれぞれのコンテンツの属性情報として取得される制限情報を管理する管理手段と、
前記内部の記録媒体に記録したコンテンツの複製を前記第１の属性により指定される回数の範囲で行う毎に、前記第２の属性に基づいた制限を、複製の元になった前記内部の記録媒体に記録したコンテンツに対して加える制限手段と
を備え、
複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製を行い、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製を行う
記録装置。
【請求項６】
前記制限手段は、前記第２のパラメータに基づいて、次の複製が可能になるまでの期間を設定することで、複製の元になった前記内部の記録媒体に記録したコンテンツに対して制限を加える
請求項５に記載の記録装置。
【請求項７】
前記制限手段は、前記第２のパラメータに基づいて、複製の画質を落とす制限を加える
請求項５に記載の記録装置。
【請求項８】
前記制限手段は、前記第２のパラメータに基づいて、複製後の複製可能な期間を設定することで、複製の元になった前記内部の記録媒体に記録したコンテンツに対して制限を加える
請求項５に記載の記録装置。
【請求項９】
コンテンツを内部の記録媒体に記録し、記録したコンテンツの複製を行う記録装置の記録方法において、
複製の可能回数を指定する第１の属性、および、第１のパラメータと第２のパラメータを有し、複製に関する制限を指定する第２の属性を含む、前記内部の記録媒体に記録したそれぞれのコンテンツの属性情報として取得される制限情報を管理するステップと、
前記内部の記録媒体に記録したコンテンツの複製を前記第１の属性により指定される回数の範囲で行う毎に、前記第２の属性に基づいた制限を、複製の元になった前記内部の記録媒体に記録したコンテンツに対して加えるステップと
を含み、
複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製を行い、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製を行う
記録方法。
【請求項１０】
それぞれのコンテンツの属性情報として、複製の可能回数を指定する第１の属性、および、第１のパラメータと第２のパラメータを有し、複製に関する制限を指定する第２の属性を含む制限情報を生成する生成手段と、
コンテンツの複製を行う記録装置に対して、前記生成手段により生成された前記制限情報をコンテンツとともに提供する提供手段と
を備え、
前記記録装置においては、複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製が行われ、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製が行われる
提供装置。
【請求項１１】
コンテンツを提供する提供装置の情報処理方法において、
それぞれのコンテンツの属性情報として、複製の可能回数を指定する第１の属性、および、第１のパラメータと第２のパラメータを有し、複製に関する制限を指定する第２の属性を含む制限情報を生成するステップと、
コンテンツの複製を行う記録装置に対して、生成した前記制限情報をコンテンツとともに提供する提供するステップと
を含み、
前記記録装置においては、複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製が行われ、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製が行われる
情報処理方法。
【発明の詳細な説明】
【技術分野】
【０００１】
本発明は、記録装置、記録方法、提供装置、および情報処理方法に関し、特に、安易な複製を防ぎつつ、ユーザによるコンテンツの使い方の自由度を高めることができるようにした記録装置、記録方法、提供装置、および情報処理方法に関する。
【背景技術】
【０００２】
現在のディジタル放送におけるプログラム（コンテンツ）の著作権情報は、トランスポートストリームに多重化されるPSI(Program Specific Information)のPMT(Program Map Table)の中に挿入されるディジタルコピー制御記述子（digital_copy_control_descriptor）によって定義される。
【０００３】
すなわち、ディジタルコピー制御記述子は、コンテンツの権利者がコンテンツのコピーに関する情報を受信機側の機器に伝えるために用いられるものである。ディジタルコピー制御記述子によって定義される著作権情報には、「Copy Free（制約なしにコピー可）」、「Copy Never（コピー禁止）」、「Copy Once（１世代のみコピー可）」がある。
【０００４】
例えば、HDD(Hard Disk Drive)とDVD(Digital Versatile Disc)ドライブを内蔵するハイブリッド型の記録装置において、「１世代のみコピー可」のコンテンツがHDDに記録された場合、その時点で「１世代」のコピーが行われたものとして扱われ、コンテンツのCCI(Copy Control Information)は「コピー禁止」とされる。ここで、CCIは、記録装置内部でのそれぞれのコンテンツのコピーの制限に関する情報である。
【０００５】
従って、以降、ユーザは、そのコンテンツをHDDから再生させる限りにおいては視聴することはできるが、DVDにコピーして外部のプレーヤで視聴したりすることはできない。現在のディジタル放送においては、このようにしてコンテンツの複製が防止されている。
【０００６】
ところで、HDDの記録容量は当然有限であり、HDDの記録容量いっぱいにコンテンツが記録された場合、コンテンツを消去せずに記録容量を確保するためには、リムーバブルメディアなどの他の記録メディアにコンテンツをコピーして、HDD内のコンテンツを削除することが考えられるが、上述したような制限からコンテンツによってはそれができない。
【０００７】
そこで、このような問題を解決するために、「ムーブ（Move）」という技術がある。
【０００８】
ムーブは、例えば、HDDに記録されている「１世代のみコピー可」のコンテンツを、DVDやBlu-ray Disk（商標）などの記録メディアにコピーしつつ、コピーが終わったHDD内のコンテンツの部分を消去、または無効化して、全てのコピーが終了したときに、HDD内のコンテンツを全て消去、または無効化することにより、利用可能な１つのコンテンツを記録メディア上に残しつつ、HDD上からはそれを利用できなくする技術である（特許文献１）。
【０００９】
これにより、ユーザは、内部のHDDに記録された「１世代のみコピー可」のコンテンツであっても、他の記録メディアに複製することが可能となり、コンテンツが記録（ムーブ）された記録メディアを他のプレーヤに装着することなどにより、HDD上以外からでもコンテンツを利用することができる。
【特許文献１】特開２００３−１６７２５号公報
【発明の開示】
【発明が解決しようとする課題】
【００１０】
しかしながら、近年、多くの種類の記録メディアが登場してきているにもかかわらず、「１世代のみコピー可」のコンテンツについては１つの記録メディアにしかムーブすることができず、そのことがユーザに不都合を与えている。
【００１１】
とはいえ、単純にコピー可能回数を増やした場合、ユーザによる安易な複製をまねくことになり、コンテンツの権利者に不利益を与えかねない。
【００１２】
本発明はこのような状況に鑑みてなされたものであり、安易な複製を防ぎつつ、ユーザによるコンテンツの使い方の自由度を高めることができるようにするものである。
【課題を解決するための手段】
【００１４】
本発明の第１の側面の記録装置は、コンテンツを内部の記録媒体に記録し、記録したコンテンツの複製を行う記録装置において、複製の可能回数を指定する第１の属性、および、複製を行う毎に加える制限を指定する第２の属性を含む、前記内部の記録媒体に記録したそれぞれのコンテンツの属性情報として取得される制限情報を管理する管理手段と、前記内部の記録媒体に記録したコンテンツの複製を前記第１の属性により指定される回数の範囲で行う毎に、前記第２の属性に基づいた制限を、複製の元になった前記内部の記録媒体に記録したコンテンツに対して加える制限手段とを備え、前記制限手段は、次の複製が可能になるまでの期間を設定することによって、複製の元になった前記内部の記録媒体に記録したコンテンツに制限を加える。
【００１８】
本発明の第１の側面の記録方法は、複製の可能回数を指定する第１の属性、および、複製を行う毎に加える制限を指定する第２の属性を含む、内部の記録媒体に記録したそれぞれのコンテンツの属性情報として取得される制限情報を管理し、前記内部の記録媒体に記録したコンテンツの複製を前記第１の属性により指定される回数の範囲で行う毎に、前記第２の属性に基づいた制限として次の複製が可能になるまでの期間を設定することによって、複製の元になった前記内部の記録媒体に記録したコンテンツに対して加えるステップを含む。
【００１９】
本発明の第２の側面の提供装置は、それぞれのコンテンツの属性情報として、複製の可能回数を指定する第１の属性、および、複製を行う毎に加える制限としての次の複製が可能になるまでの期間を指定する第２の属性を含む制限情報を生成する生成手段と、コンテンツの複製を行う記録装置に対して、前記生成手段により生成された前記制限情報をコンテンツとともに提供する提供手段とを備える。
【００２０】
本発明の第２の側面の情報処理方法は、それぞれのコンテンツの属性情報として、複製の可能回数を指定する第１の属性、および、複製を行う毎に加える制限としての次の複製が可能になるまでの期間を指定する第２の属性を含む制限情報を生成するステップと、コンテンツの複製を行う記録装置に対して、生成した前記制限情報をコンテンツとともに提供するステップとを含む。
【００２１】
本発明の第３の側面の記録装置は、コンテンツを内部の記録媒体に記録し、記録したコンテンツの複製を行う記録装置において、複製の可能回数を指定する第１の属性、および、第１のパラメータと第２のパラメータを有し、複製に関する制限を指定する第２の属性を含む、前記内部の記録媒体に記録したそれぞれのコンテンツの属性情報として取得される制限情報を管理する管理手段と、前記内部の記録媒体に記録したコンテンツの複製を前記第１の属性により指定される回数の範囲で行う毎に、前記第２の属性に基づいた制限を、複製の元になった前記内部の記録媒体に記録したコンテンツに対して加える制限手段とを備え、複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製を行い、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製を行う。
前記制限手段には、前記第２のパラメータに基づいて、次の複製が可能になるまでの期間を設定することで、複製の元になった前記内部の記録媒体に記録したコンテンツに対して制限を加えさせることができる。
前記制限手段には、前記第２のパラメータに基づいて、複製の画質を落とす制限を加えさせることができる。
前記制限手段には、前記第２のパラメータに基づいて、複製後の複製可能な期間を設定することで、複製の元になった前記内部の記録媒体に記録したコンテンツに対して制限を加させることができる。
本発明の第３の側面の記録方法は、コンテンツを内部の記録媒体に記録し、記録したコンテンツの複製を行う記録装置の記録方法において、複製の可能回数を指定する第１の属性、および、第１のパラメータと第２のパラメータを有し、複製に関する制限を指定する第２の属性を含む、前記内部の記録媒体に記録したそれぞれのコンテンツの属性情報として取得される制限情報を管理するステップと、前記内部の記録媒体に記録したコンテンツの複製を前記第１の属性により指定される回数の範囲で行う毎に、前記第２の属性に基づいた制限を、複製の元になった前記内部の記録媒体に記録したコンテンツに対して加えるステップとを含み、複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製を行い、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製を行う。
本発明の第４の側面の提供装置は、それぞれのコンテンツの属性情報として、複製の可能回数を指定する第１の属性、および、第１のパラメータと第２のパラメータを有し、複製に関する制限を指定する第２の属性を含む制限情報を生成する生成手段と、コンテンツの複製を行う記録装置に対して、前記生成手段により生成された前記制限情報をコンテンツとともに提供する提供手段とを備え、前記記録装置においては、複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製が行われ、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製が行われる。
本発明の第４の側面の情報処理方法は、それぞれのコンテンツの属性情報として、複製の可能回数を指定する第１の属性、および、第１のパラメータと第２のパラメータを有し、複製に関する制限を指定する第２の属性を含む制限情報を生成するステップと、コンテンツの複製を行う記録装置に対して、生成した前記制限情報をコンテンツとともに提供する提供するステップとを含み、前記記録装置においては、複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製が行われ、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製が行われる。
【００２２】
本発明の第１の側面においては、複製の可能回数を指定する第１の属性、および、複製を行う毎に加える制限を指定する第２の属性を含む、内部の記録媒体に記録したそれぞれのコンテンツの属性情報として取得される制限情報が管理され、内部の記録媒体に記録したコンテンツの複製を第１の属性により指定される回数の範囲で行う毎に、第２の属性に基づいた制限として次の複製が可能になるまでの期間を設定することによって、複製の元になった内部の記録媒体に記録したコンテンツに対して加えられる。
【００２３】
本発明の第２の側面においては、それぞれのコンテンツの属性情報として、複製の可能回数を指定する第１の属性、および、複製を行う毎に加える制限としての次の複製が可能になるまでの期間を指定する第２の属性を含む制限情報が生成され、コンテンツの複製を行う記録装置に対して、生成された制限情報がコンテンツとともに提供される。
本発明の第３の側面においては、複製の可能回数を指定する第１の属性、および、第１のパラメータと第２のパラメータを有し、複製に関する制限を指定する第２の属性を含む、内部の記録媒体に記録したそれぞれのコンテンツの属性情報として取得される制限情報が管理され、前記内部の記録媒体に記録したコンテンツの複製を前記第１の属性により指定される回数の範囲で行う毎に、前記第２の属性に基づいた制限が、複製の元になった前記内部の記録媒体に記録したコンテンツに対して加えられる。複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製が行われ、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製が行われる。
本発明の第４の側面においては、それぞれのコンテンツの属性情報として、複製の可能回数を指定する第１の属性、および、第１のパラメータと第２のパラメータを有し、複製に関する制限を指定する第２の属性を含む制限情報が生成され、コンテンツの複製を行う記録装置に対して、生成された前記制限情報がコンテンツとともに提供される。記録装置においては、複製回数が、前記第１の属性の指定する回数の範囲内であって、かつ、前記第２の属性の前記第１のパラメータの指定する回数の範囲を超えた場合、前記第２のパラメータの指定する、複製回数の制限とは異なる複製に関する制限を伴う複製が行われ、複製回数が、前記第１の属性の指定する回数の範囲内であって、かつ、前記第２の属性の前記第１のパラメータの指定する回数の範囲内の場合、前記第２のパラメータの指定する、複製回数の制限とは異なる複製に関する制限を伴わない複製が行われる。
【発明の効果】
【００２４】
本発明によれば、安易な複製を防ぎつつ、ユーザによるコンテンツの使い方の自由度を高めることができる。
【発明を実施するための最良の形態】
【００３１】
以下、本発明の実施の形態について図を参照して説明する。
【００３２】
図１は、本発明の一実施形態に係る記録装置１の構成例を示すブロック図である。
【００３３】
CPU(Central Processing Unit)１１は、コントローラ１２を介して、ROM(Read Only Memory)１３に記憶されたプログラムや、HDD(Hard Disk Drive)２５からRAM(Random Access Memory)１４にロードされたプログラムを実行し、バス１５および２４に接続されている各部の動作を制御する。
【００３４】
例えば、CPU１１は、トランスポートストリームに多重化されるPSIにより定義されるコピーの制限（PSIに挿入されるディジタルコピー制御記述子により定義されるコピーの制限）にしたがって、HDD２５に記録したコンテンツのコピー（複製）を行う。後述するように、所定の回数だけコピーを行うことが可能とされており、CPU１１は、その回数の範囲でコピーを行う毎に、コピーを行ったものと同じコンテンツの次のコピーに対して、または、コピーの元になったHDD２５内のオリジナルのコンテンツに対して制限を加える。
【００３５】
チューナ部１７は、CPU１１による制御に従って、アンテナ１６からの放送信号を受信、復調し、所定のチャンネルで放送されるトランスポートストリームを、バス１５を介してデスクランブラ１８に出力する。
【００３６】
デスクランブラ１８は、カードI/F(Interface)１９に挿入されたCASカード２０に記憶されているデータを用いてスクランブルを解くキーを生成し、チューナ部１７から供給されたトランスポートストリームのスクランブルを解除する。デスクランブラ１８によりスクランブルが解除されたトランスポートストリームは、例えば、バス１５を介してデマルチプレクサ２１に供給される。
【００３７】
カードI/F１９は、CASカード２０から読み出したデータをバス１５を介してデスクランブラ１８に供給する。
【００３８】
デマルチプレクサ２１は、CPU１１による制御に従って、デスクランブラ１８から供給されたトランスポートストリームから所定のストリームを抽出し、抽出したストリームを構成するパケットをバス１５上に、または、オーディオデコーダ２２、ビデオデコーダ２３に出力する。デマルチプレクサ２１により得られたパケットからなるコンテンツは、例えば、バス１５、コントローラ１２、およびバス２４を介してHDD２５に供給され、記録される。
【００３９】
また、デマルチプレクサ２１は、トランスポートストリームから抽出したPSI/SI(Program Specific Information/Service Information)などのコンテンツの属性情報をバス１５、およびコントローラ１２を介してCPU１１に出力する。
【００４０】
オーディオデコーダ２２は、デマルチプレクサ２１から供給されたオーディオデータ（オーディオパケット）をデコードし、得られたオーディオデータを図示せぬオーディオ出力端子から出力する。オーディオ出力端子から出力されたオーディオデータは、例えば、記録装置１と接続されるテレビジョン受像機により受信され、そのスピーカから、オーディオデータに対応する音声が出力される。
【００４１】
ビデオデコーダ２３は、デマルチプレクサ２１から供給されたビデオデータ（ビデオパケット）をデコードし、得られたビデオデータを図示せぬビデオ出力端子から出力する。ビデオ出力端子から出力されたビデオデータは、例えば、記録装置１と接続されるテレビジョン受像機により受信され、そのディスプレイに、ビデオデータに対応する画像が表示される。
【００４２】
HDD２５は、バス２４を介して供給されたコンテンツを記録する。HDD２５に記録されたコンテンツは、CPU１１による制御に従って適宜読み出され、再生、コピー、ムーブ等に用いられる。
【００４３】
ドライブ２６は、装着されたDVD(Digital Versatile Disc)２７やBlu-ray Disk（商標）２８（以下、BD２８という）などの光ディスクを駆動することにより、または、記録装置１の筐体に形成されるスロットに挿入されたメモリカード２９を駆動することにより、バス２４を介して供給されたデータをそれらの記録メディアに記録し、また、それらの記録メディアに記録されているデータを読み出してバス２４上に出力する。例えば、HDD２５に記録されているコンテンツを、DVD２７を記録先として複製することが指定されている場合、ドライブ２６は、バス２４を介してHDD２５から供給されたコンテンツをDVD２７に記録させる。
【００４４】
通信部３０は、IEEE(Institute of Electrical and Electronics Engineers)1394ケーブルを介して接続される外部機器と通信を行い、例えば、バス２４を介して供給されたコンテンツを、その外部機器に出力する。
【００４５】
図２は、記録装置１の機能構成例を示すブロック図である。図２に示す構成の少なくとも一部は、図１のCPU１１により所定のプログラムが実行されることで実現される。
【００４６】
図２に示されるように、記録装置１においては、解析部４１、制限情報管理部４２、タイマ４３、コピー制御部４４、および内部コンテンツ管理部４５が実現される。
【００４７】
解析部４１は、デマルチプレクサ２１により抽出されたPSIを解析し、定義されるコピーの制限を表す制限情報を制限情報管理部４２に出力する。後述するように、各種の属性が制限情報には含まれており、「Copy Free（制約なしにコピー可）」、「Copy Never（コピー禁止）」、「Copy Once（１世代のみコピー可）」以外の定義が、HDD２５に記録したそれぞれのコンテンツについてなされる。記録装置１においては、制限情報により定義される制限の範囲で、HDD２５に記録したコンテンツのコピーが可能とされる。
【００４８】
制限情報管理部４２は、解析部４１から供給された制限情報を管理し、HDD２５に記録したコンテンツのコピーがユーザにより指示されたとき、管理している制限情報を参照し、制限情報により定義される制限の範囲でコピー制御部４４を制御してコピーを行わせるとともに、それをトリガとして、コピーを行ったコンテンツと同じコンテンツの次のコピーに対して、または、コピーの元になったHDD２５内のオリジナルのコンテンツに対して制限を加える。加える制限の内容も、管理する制限情報により定義される。
【００４９】
制限情報管理部４２に対してはタイマ４３から現在時刻を表す時刻情報が供給されており、制限情報管理部４２は、その時刻情報を参照して各種の制限を加えることなどを行う。
【００５０】
タイマ４３は、現在時刻を表す時刻情報を制限情報管理部４２に出力する。
【００５１】
コピー制御部４４は、制限情報管理部４２による制御にしたがって、HDD２５に記録されているコンテンツを読み出し、ドライブ２６に装着された記録メディアにコピーする。その際、適宜、コピー制御部４４は、解像度を下げたりビットレートを下げたりすることによって、画質を落としてHDD２５に記録されているコンテンツをコピーする。
【００５２】
内部コンテンツ管理部４５は、制限情報管理部４２による制御にしたがって、HDD２５に記録されているコンテンツ（内部コンテンツ）を管理する。制限情報管理部４２から内部コンテンツ管理部４５に対しては、例えば、HDD２５に記録してから所定の期間が経過したことから、HDD２５に記録されているコンテンツを消去したりすることの指示などが行われる。
【００５３】
ここで、制限情報によって定義される制限について説明する。
【００５４】
図３は、制限情報により表される属性の例を示す図である。それぞれの属性の値と、制限の内容の具体例については後述する。
【００５５】
図３の例においては、属性１としてコピー可能回数属性、属性２としてコピー禁止時間属性（ＡとＢ）、属性３としてコピー画質属性（ＡとＢ）、属性４としてHDD内保持可能時間属性（ＡとＢ）、属性５としてコピー回数減算属性が示されている。
【００５６】
コピー可能回数属性は、HDD２５に記録したコンテンツのコピー可能な回数を定義する属性である。この属性により定義される制限の範囲であれば、DVD２７、BD２８、メモリカード２９などへのコピーが可能とされる。
【００５７】
コピー禁止時間属性Ａは、HDD２５に記録したコンテンツをコピーしてから、次に同じコンテンツをコピーすることが可能になるまでの時間、すなわち、同じコンテンツのコピーの禁止時間についての制限を定義する属性である。コピー禁止時間属性Ｂにより、その時間が指定される。
【００５８】
コピー画質属性Ａは、コピーしたコンテンツと同じコンテンツをコピーするときのコピーの画質についての制限を定義する属性である。コピー画質属性Ｂにより、その画質の程度が指定される。
【００５９】
HDD内保持可能時間属性Ａは、HDD２５に記録したコンテンツをコピーしたときを基準として、コピーの元になったオリジナルのコンテンツをHDD２５内に記録させ続けることが可能な時間についての制限を定義する属性である。HDD内保持可能時間属性Ｂにより、その時間が指定される。指定される時間が経過したとき、コピーの元になったオリジナルのコンテンツはHDD２５から消去される。
【００６０】
コピー回数減算属性は、コンテンツをHDD２５に記録したときを基準として所定の時間が経過したときに、コピー可能回数属性によって定義される回数から、そのコンテンツのコピー可能回数を減らすことについての制限を定義する情報である。
【００６１】
このように、制限情報に含まれる属性には、大きく分けて、コピーを行ったものと同じコンテンツの次のコピーに対する制限を定義する属性（コピー可能回数属性、コピー禁止時間属性、コピー画質属性、コピー回数減算属性）と、コピーの元になったHDD２５内のオリジナルのコンテンツに対する制限を定義する属性（HDD内保持可能時間属性）とがある。
【００６２】
図４および図５を参照して、図３のそれぞれの属性の値と、制限の内容の具体例について説明する。
【００６３】
図４にはコピー可能回数属性（属性１）、コピー禁止時間属性ＡおよびＢ（属性２Ａおよび２Ｂ）、コピー画質属性ＡおよびＢ（属性３Ａおよび３Ｂ）の具体例が示され、図５にはHDD内保持可能時間属性ＡおよびＢ（属性４Ａおよび４Ｂ）、コピー回数減算属性の具体例が示されている。
【００６４】
図４に示されるように、コピー可能回数属性（属性１）の値が１であることは、HDD２５に記録したコンテンツのコピーが１回だけ可能であることを表し、その値が２であることは、HDD２５に記録したコンテンツのコピーが２回だけ可能であることを表す。
【００６５】
同様に、コピー可能回数属性の３以上の値は、その値に応じた回数だけ、HDD２５に記録したコンテンツのコピーが可能であることを表す。
【００６６】
「Copy Once（１世代のみコピー可）」のコンテンツについては、HDD２５に１度記録した場合には、そのコピーを行うことはできないが、このように、記録装置１においては、コピー可能回数属性により定義される条件の範囲で、HDD２５に記録したコンテンツのコピーが可能とされる。
【００６７】
これにより、ユーザは、例えば、HDD２５に記録したコンテンツをBD２８にコピーさせ、それをBlu-ray Disk対応のプレーヤから再生させて視聴したり、HDD２５に記録したコンテンツをメモリカード２９にコピーさせ、それが挿入された携帯型のプレーヤを用いて視聴したりすることができ、自由度の高い形でコンテンツを使うことができる。
【００６８】
図４の説明に戻り、コピー禁止時間属性Ａ（属性２Ａ）の値が０であることは、HDD２５に記録したコンテンツをコピーしても、次に同じコンテンツをコピーすることが可能になるまでの時間について制限がないことを表し、その値が１であることは、HDD２５に記録したコンテンツを１回コピーした場合、その後、コピー禁止時間属性Ｂによって指定される時間だけ、同じコンテンツのコピーが禁止されることを表す。
【００６９】
また、コピー禁止時間属性Ａの値が２であることは、HDD２５に記録したコンテンツを２回コピーした場合、その後、コピー禁止時間属性Ｂによって指定される時間だけ、同じコンテンツのコピーが禁止されることを表す。
【００７０】
コピー禁止時間属性Ａの値が３以上である場合も同様に、HDD２５に記録したコンテンツをコピー禁止時間属性Ａの値に対応する回数だけコピーしたとき、その後、コピー禁止時間属性Ｂによって指定される時間だけ、同じコンテンツのコピーが禁止されることを表す。
【００７１】
図４の例においては、コピー禁止時間属性Ｂ（属性２Ｂ）の値０は時間の制限がないことを表し、コピー禁止時間属性Ｂの値１は１時間を表す。また、コピー禁止時間属性Ｂの値２は１日を表し、コピー禁止時間属性Ｂの値３は１週間を表す。
【００７２】
例えば、コピー禁止時間属性Ａの値が２であり、コピー禁止時間属性Ｂの値が１である場合、ユーザは、HDD２５に記録したコンテンツを２回までは何の制限もなくコピーすることができるが、同じコンテンツの３回目からのコピーは、それぞれの間隔を１時間あけないと行うことができないことになる。
【００７３】
これにより、ユーザ側とすればコンテンツのコピーが可能であり、コンテンツの権利者側とすればユーザによる安易な複製を防ぐことができる。
【００７４】
図４に示されるように、コピー画質属性Ａ（属性３Ａ）の値が０であることは、HDD２５に記録したコンテンツをコピーしても、次に同じコンテンツをコピーするときにコピーの画質について制限がないことを表し、その値が１であることは、HDD２５に記録したコンテンツを１回コピーした場合、その後、同じコンテンツをコピーするときには、コピーの画質をコピー画質属性Ｂにより指定されるものに制限することを表す。
【００７５】
また、コピー画質属性Ａの値が２であることは、HDD２５に記録したコンテンツを２回コピーした場合、その後、同じコンテンツをコピーするときには、コピーの画質をコピー画質属性Ｂにより指定されるものに制限することを表す。
【００７６】
コピー画質属性Ａの値が３以上である場合も同様に、HDD２５に記録したコンテンツをコピー画質属性Ａの値に対応する回数だけコピーした場合、その後、同じコンテンツをコピーするときには、コピーの画質をコピー画質属性Ｂにより指定されるものに制限することを表す。
【００７７】
図４の例においては、コピー画質属性Ｂ（属性３Ｂ）の値０は画質の制限がないこと（オリジナルのコンテンツと同等の画質でコピーすることができること）を表し、コピー画質属性Ｂの値１は、コピーのビットレートを、オリジナルのコンテンツのビットレートより低い所定のビットレート以下にすることによって画質を落とすことを表す。
【００７８】
また、コピー画質属性Ｂの値２は、コピーの解像度を、オリジナルのコンテンツの解像度より低い６４０×４８０画素以下にすることによって画質を落とすことを表す。
【００７９】
例えば、コピー画質属性Ａの値が２であり、コピー画質属性Ｂの値が１である場合、ユーザは、HDD２５に記録したコンテンツを２回までは何の制限もなくコピーすることができるが、同じコンテンツの３回目以降のコピーについては、所定のビットレート以下の、オリジナルのものと較べて画質の劣るものしかコピーすることができないことになる。
【００８０】
これによっても、ユーザ側とすればコンテンツのコピーが可能であり、コンテンツの権利者側とすればユーザによる安易な複製を防ぐことができる。
【００８１】
図５の例においては、HDD内保持可能時間属性Ａ（属性４Ａ）の値が０であることは、HDD２５に記録したコンテンツをコピーしても、オリジナルのコンテンツをHDD２５内に記録させ続けることが可能な時間について制限がないこと、すなわち、ユーザによる意図的な指示があるまで記録させ続けることができることを表し、その値が１であることは、HDD２５に記録したコンテンツを１回コピーした場合、そのときを基準として、HDD内保持可能時間属性Ｂによって指定される時間だけしかオリジナルのコンテンツをHDD２５内に記録させ続けることができないことを表す。
【００８２】
また、HDD内保持可能時間属性Ａの値が２であることは、HDD２５に記録したコンテンツを２回コピーした場合、そのときを基準として、HDD内保持可能時間属性Ｂによって指定される時間だけしかオリジナルのコンテンツをHDD２５内に記録させ続けることができないことを表す。
【００８３】
HDD内保持可能時間属性Ａの値が３以上である場合も同様に、HDD２５に記録したコンテンツをHDD内保持可能時間属性Ａの値に対応する回数だけコピーした場合、そのときを基準として、HDD内保持可能時間属性Ｂによって指定される時間だけしかオリジナルのコンテンツをHDD２５内に記録させ続けることができないことを表す。
【００８４】
図５の例においては、HDD内保持可能時間属性Ｂ（属性４Ｂ）の値０は制限がないことを表し、HDD内保持可能時間属性Ｂの値１は１ヶ月を表す。また、HDD内保持可能時間属性Ｂの値２は１週間を表し、HDD内保持可能時間属性Ｂの値３は１日を表す。
【００８５】
例えば、HDD内保持可能時間属性Ａの値が２であり、HDD内保持可能時間属性Ｂの値が１である場合、ユーザは、HDD２５に記録したコンテンツを２回コピーしたときには、そのときを基準として１ヶ月しかオリジナルのコンテンツをHDD２５内に記録させ続けることができないことになる。
【００８６】
これによっても、ユーザ側とすればコンテンツのコピーが可能であり、コンテンツの権利者側とすればユーザによる安易な複製を防ぐことができる。
【００８７】
図５の例においては、コピー回数減算属性（属性５）の値が０であることは、コンテンツをHDD２５に記録してから時間が経過しても、コピー可能回数属性によって定義されるそのコンテンツのコピー可能回数を減らすことについて制限がないこと、すなわち、コピー可能回数属性によって定義される回数だけコピーが可能であることを表し、その値が１であることは、コンテンツをHDD２５に記録したときを基準として１ヶ月経過する毎に、コピー可能回数属性によって定義される回数から、そのコンテンツのコピー可能回数を１回だけ減らすこと表す。
【００８８】
また、コピー回数減算属性の値が２であることは、コンテンツをHDD２５に記録したときを基準として１週間経過する毎に、コピー可能回数属性によって定義される回数から、そのコンテンツのコピー可能回数を１回だけ減らすこと表し、コピー回数減算属性の値が３であることは、コンテンツをHDD２５に記録したときを基準として１日が経過する毎に、コピー可能回数属性によって定義される回数から、そのコンテンツのコピー可能回数を１回だけ減らすこと表す。
【００８９】
なお、所定の期間が経過する毎にコピー可能回数が減らされるのではなく、コンテンツをHDD２５に記録したときを基準として１ヶ月、１週間などの所定の期間が経過したときに１度だけ、コピー可能回数が減らされるようにしてもよい。
【００９０】
以上のような属性は、それぞれのコンテンツに対して組み合わせて用いられる。
【００９１】
例えば、コピー可能回数属性の値が５（５回のコピーが可能）、コピー禁止時間属性Ａの値が２、コピー禁止時間属性Ｂの値が１である場合、そのような内容のコピーの制限が設定されているコンテンツについては、全体で５回のコピーが可能であり、ユーザは、２回目までは何の制限もなくコピーすることができるが、２回目のコピーと３回目のコピー、３回目のコピーと４回目のコピー、および、４回目のコピーと５回目のコピーの間は、それぞれ１時間以上あけないとコピーを行うことができない。
【００９２】
図２の制限情報管理部４２においては、コピー回数の管理が行われるとともに、時間間隔の管理がタイマ４３からの時刻情報に基づいて行われる。
【００９３】
また、例えば、コピー可能回数属性の値が３（３回のコピーが可能）、コピー画質属性Ａの値が２、コピー画質属性Ｂの値が２である場合、そのような内容のコピーの制限が設定されているコンテンツについては、全体で３回のコピーが可能であり、ユーザは、２回目までは何の制限もなくコピーすることができるが、３回目のコピーについては、オリジナルのものと較べて画質の劣る、所定の解像度（６４０×４８０画素）以下の解像度にしたコンテンツしかコピーを行うことができない。
【００９４】
図２の制限情報管理部４２においては、コピー回数の管理が行われるとともに、解像度を変換した形でコピーが行われるように、コピー制御部４４に対する制御が行われる。
【００９５】
また、例えば、コピー可能回数属性の値が３（３回のコピーが可能）、HDD内保持可能時間属性Ａの値が１、HDD内保持可能時間属性Ｂの値が１である場合、そのような内容のコピーの制限が設定されているコンテンツについては、ユーザは、全体で３回のコピーが可能であるが、１回目のコピーを行った後は、オリジナルのコンテンツをHDD２５内に１ヶ月しか記録させ続けることができない。
【００９６】
図２の制限情報管理部４２においては、コピー回数の管理が行われるとともに、HDD２５内にオリジナルのコンテンツを記録させる続けることのできる時間の管理がタイマ４３からの時刻情報に基づいて行われる。
【００９７】
また、例えば、コピー可能回数属性の値が４（４回のコピーが可能）、コピー回数減算属性の値が２である場合、そのような内容のコピーの制限が設定されているコンテンツについては、ユーザは、HDD２５に記録してから１週間が経過するまでは全体で４回のコピーを行うことが可能であるが、その後、１週間が経過する毎に、そのときの残りのコピー可能回数から１回ずつ減らされた回数しかコピーを行うことができなくなる。
【００９８】
図２の制限情報管理部４２においては、コピー回数の管理が行われるとともに、HDD２５内に記録してからの時間の管理がタイマ４３からの時刻情報に基づいて行われる。
【００９９】
なお、以上においては、コピー可能回数属性とコピー禁止時間属性、コピー可能回数属性とコピー画質属性、コピー可能回数属性とHDD内保持可能時間属性、コピー可能回数属性とコピー回数減算属性をそれぞれ組み合わせて用いた場合の例について説明したが、３つ以上の属性を組み合わせて用いることも可能である。
【０１００】
ここで、図６のフローチャートを参照して、HDD２５に記録したコンテンツのコピーを管理する記録装置１の処理について説明する。
【０１０１】
ステップＳ１において、解析部４１は、デマルチプレクサ２１により抽出されたPSIを解析し、HDD２５に記録されたコンテンツの制限情報を制限情報管理部４２に出力する。
【０１０２】
ステップＳ２において、制限情報管理部４２は、解析部４１から供給された制御情報を管理し、ステップＳ３に進み、HDD２５に記録されたコンテンツのコピーがユーザにより指示されたか否かを判定する。指示の入力はリモートコントローラなどを用いて行われる。
【０１０３】
ステップＳ３において、制限情報管理部４２は、コピーが指示されていないと判定した場合、ステップＳ１に戻り、それ以降の処理を繰り返し、一方、コピーが指示されたと判定した場合、ステップＳ４に進む。
【０１０４】
ステップＳ４において、制限情報管理部４２は、管理している制限情報のうち、コピーが指示されたコンテンツの制限情報に含まれるそれぞれの属性を参照し、ステップＳ５に進み、コピーすることができるか否かを判定する。
【０１０５】
例えば、残りのコピー可能回数が０であったり、次のコピーまでに時間をあける必要がある場合、制限情報管理部４２は、ステップＳ５において、コピーすることができないと判定し、ステップＳ１に戻り、それ以降の処理を繰り返す。このとき、コピーすることができないことを通知するメッセージが、その理由とともに記録装置１に接続されるテレビジョン受像機などに表示される。
【０１０６】
ステップＳ５において、残りのコピー可能回数が１回以上残っていたり、次のコピーまでにあける必要がある時間が経過している場合、制限情報管理部４２は、ステップＳ５において、コピーすることができると判定し、ステップＳ６に進む。
【０１０７】
ステップＳ６において、制限情報管理部４２は、コピーに対する制限、またはHDD２５内のオリジナルのコンテンツに対する制限が定義されているか否かを判定する。
【０１０８】
制限情報管理部４２は、ステップＳ６において、コピーに対する制限、またはHDD２５内のオリジナルのコンテンツに対する制限が定義されていると判定した場合、ステップＳ７に進み、制限の内容を更新してコピー制御部４４にコピーを行わせ、ステップＳ１以降の処理を繰り返す。
【０１０９】
例えば、コピーを所定の回数以上行っていることから、次のコピーまでの時間をあける必要がある場合、制限情報管理部４２は、コピー制御部４４にコピーを行わせるとともに、同じコンテンツの次のコピーが可能になるまでの時間の管理を開始する。また、コピーを所定の回数以上行っていることから、画質を落とす必要がある場合、制限情報管理部４２は、コピー制御部４４を制御して、画質を落としたものをコピーさせる。さらに、コピーを所定の回数以上行っていることから、オリジナルのコンテンツをHDD２５に記録させ続けることができる時間の管理を開始する必要がある場合、制限情報管理部４２は、コピー制御部４４にコピーを行わせるとともに、その時間の管理を開始する。
【０１１０】
一方、ステップＳ６において、制限情報管理部４２は、コピーに対する制限、またはHDD２５内のオリジナルのコンテンツに対する制限が定義されていないと判定した場合、ステップＳ８に進み、コピー制御部４４を制御して制限なしにコピーを行わせ、ステップＳ１以降の処理を繰り返す。
【０１１１】
以上の処理により、安易な複製を防ぎつつ、ユーザによるコンテンツの使い方の自由度を高めるといったことが実現される。
【０１１２】
次に、以上のようにしてコンテンツの管理に用いられる制限情報を生成し、それをPSIに挿入してコンテンツとともに放送する放送側（送信側）の構成について説明する。
【０１１３】
図７は、受信側の構成である記録装置１と、送信側の構成からなる送受信システムの構成例を示す図である。
【０１１４】
図７に示されるように、送信側の構成は放送装置５１と提供装置５２からなる。
【０１１５】
放送装置５１は、コンテンツやPSI/SIなどの属性情報のエンコード、多重化などを行い、記録装置１を含む受信側の装置に向けて放送する。放送装置５１により放送されるPSIには、提供装置５２により生成された制限情報（図３のそれぞれの属性を含む情報）も含まれる。
【０１１６】
提供装置５２は、コンテンツの権利者などによる設定にしたがって、それぞれのコンテンツの属性情報としての制限情報を生成し、生成した制限情報を放送装置５１に出力する。提供装置５２により生成された制限情報は、コンテンツとともに放送されることによって記録装置１に提供される。
【０１１７】
図８は、図７の提供装置５２の構成例を示すブロック図である。
【０１１８】
CPU６１は、ROM６２、または記憶部６８に記憶されているプログラムに従って各種の処理を実行する。RAM６３には、CPU６１が実行するプログラムやデータなどが適宜記憶される。これらのCPU６１、ROM６２、およびRAM６３は、バス６４により相互に接続されている。
【０１１９】
CPU６１にはまた、バス６４を介して入出力インターフェース６５が接続されている。入出力インターフェース６５には、キーボード、マウス、マイクロホンなどよりなる入力部６６、ディスプレイ、スピーカなどよりなる出力部６７が接続されている。CPU６１は、例えば、入力部６６からの入力にしたがってそれぞれの属性の値を設定し、制限情報を生成する。
【０１２０】
入出力インターフェース６５に接続されている記憶部６８は、例えばハードディスクからなり、CPU６１が実行するプログラムや各種のデータを記憶する。通信部６９は、インターネットやローカルエリアネットワークなどのネットワークを介して外部の装置と通信する。また、通信部６９は、生成された制限情報を放送装置５１に出力する。
【０１２１】
入出力インターフェース６５に接続されているドライブ７０は、磁気ディスク、光ディスク、光磁気ディスク、或いは半導体メモリなどのリムーバブルメディア７１が装着されたとき、それらを駆動し、そこに記録されているプログラムやデータなどを取得する。取得されたプログラムやデータは、必要に応じて記憶部６８に転送され、記憶される。
【０１２２】
図９は、提供装置５２の機能構成例を示すブロック図である。図９に示す構成の少なくとも一部は、図８のCPU６１により所定のプログラムが実行されることで実現される。
【０１２３】
図９に示されるように、提供装置５２においては、制限情報生成部８１および提供部８２が実現される。
【０１２４】
制限情報生成部８１は、入力部６６が操作されて入力された属性の設定を受け付け、それぞれの属性の値を設定することによって、所定の制限の内容を定義する制限情報を生成する。制限情報生成部８１により生成された制限情報は提供部８２に出力される。
【０１２５】
提供部８２は、制限情報生成部８１から供給された制限情報を放送装置５１に出力し、コンテンツとともに放送させることによって制限情報を記録装置１に提供する。
【０１２６】
次に、図１０のフローチャートを参照して、以上のような構成を有する提供装置５２の処理について説明する。
【０１２７】
ステップＳ１１において、制限情報生成部８１は、入力部６６が操作されて入力された属性の設定を受け付け、それぞれの属性の値を設定することによって所定の制限の内容を定義する制限情報を生成し、生成した制限情報を提供部８２に出力する。
【０１２８】
ステップＳ１２において、提供部８２は、制限情報生成部８１から供給された制限情報を放送装置５１に出力し、コンテンツとともに放送させることによって制限情報を記録装置１に提供する。
【０１２９】
以上の処理によって生成された制限情報はコンテンツとともに記録装置１により受信され、取得される。記録装置１においては、上述したようにコピーをトリガとして、次のコピーに対する制限や、HDD２５に記録されているオリジナルのコンテンツに対する制限が、取得された制限情報による定義にしたがって加えられる。
【０１３０】
なお、図７においては、制限情報を生成する提供装置５２が放送装置５１とは別の装置として設けられるものとしたが、放送装置５１の中に、図８、図９に示されるような構成を設けることも可能である。
【０１３１】
以上においては、コンテンツのコピーをトリガとして、同じコンテンツの次のコピーに対する制限と、HDD２５に記録されているオリジナルのコンテンツに対する制限のうちのいずれか一方が加えられるものとしたが、その両方の制限が加えられるようにしてもよい。
【０１３２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１３３】
コンピュータにインストールされ、コンピュータによって実行可能な状態とされるプログラムを格納するプログラム記録媒体は、図８に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア７１、または、プログラムが一時的もしくは永続的に格納されるROM６２や、記憶部６８を構成するハードディスクなどにより構成される。プログラム記録媒体へのプログラムの格納は、必要に応じてルータ、モデムなどのインターフェースである通信部６９を介して、ローカルエリアネットワーク、インターネット、ディジタル衛星放送といった、有線または無線の通信媒体を利用して行われる。
【０１３４】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１３５】
また、本明細書において、システムとは、複数の装置により構成される装置全体を表すものである。
【図面の簡単な説明】
【０１３６】
【図１】本発明の一実施形態に係る記録装置の構成例を示すブロック図である。
【図２】記録装置の機能構成例を示すブロック図である。
【図３】制限情報の属性の例を示す図である。
【図４】属性の値と制限の内容の具体例を示す図である。
【図５】属性の値と制限の内容の具体例を示す他の図である。
【図６】記録装置の処理について説明するフローチャートである。
【図７】送受信システムの構成例を示す図である。
【図８】図７の提供装置の構成例を示すブロック図である。
【図９】提供装置の処理について説明するフローチャートである。
【図１０】パーソナルコンピュータの構成例を示すブロック図である。
【符号の説明】
【０１３７】
１  記録装置，  ２６  ドライブ，  ２７  DVD，  ２８  BD，  ２９  メモリカード，  ４１  解析部，  ４２  制限情報管理部，  ４３  タイマ，  ４４  コピー制御部，  ４５  内部コンテンツ管理部，  ５１  放送装置，  ５２  提供装置，  ８１  制限情報生成部，  ８２  提供部
【図１】
0004508082.tif 000002
【図２】
0004508082.tif 000003
【図３】
0004508082.tif 000004
【図４】
0004508082.tif 000005
【図５】
0004508082.tif 000006
【図６】
0004508082.tif 000007
【図７】
0004508082.tif 000008
【図８】
0004508082.tif 000009
【図９】
0004508082.tif 000010
【図１０】
0004508082.tif 000011